(57)【特許請求の範囲】
【請求項１】
第１の蓋部材と、該蓋部材により一方の面が封止されてノズル開口に連通する圧力発生室を形成するスペーサと、前記ノズル開口を備えて前記スペーサの他方の面を封止する部材と、前記圧力発生室を加圧する圧力発生手段を備えたインクジェット式記録ヘッドにおいて、
前記圧力発生手段に信号を選択的に印加する個別電極と接続すべく前記蓋部材の両側端に位置して形成され、その表面が前記圧力発生手段の表面よりも上方に位置するように形成された端子と、
一端が外部装置に接続可能で、また他端側が、前記蓋部材の両側端の前記端子に導電的に接合固定されて前記圧力発生手段との間に間隔をあけて覆うように張設されたフレキシブルケーブルと、
を備えたインクジェット式記録ヘッド。
【請求項２】
前記端子が電気絶縁性材料に導電性膜を形成して構成されている請求項１に記載のインクジェット式記録ヘッド。
【請求項３】
前記端子が複数の個別電極からのリード部を跨ぐ長尺状の電気絶縁性薄板に、前記個別電極の配列ピッチに合わせて導電性膜が形成されている請求項１に記載のインクジェット式記録ヘッド。
【請求項４】
前記端子が、前記個別電極とほぼ同等の幅を備えた電気絶縁性材料に導電性膜を設けて形成されている請求項３に記載のインクジェット式記録ヘッド。
【請求項５】
前記端子の絶縁材料が、前記圧力発生手段と同一の材料で構成されている請求項２または請求項３に記載のインクジェット式記録ヘッド。
【請求項６】
前記端子が、前記個別電極とほぼ同等の幅を備えた導電性材料で形成されている請求項１に記載のインクジェット式記録ヘッド。
【請求項７】
前記導電性材料が、導電性接着剤である請求項６に記載のインクジェット式記録ヘッド。
【請求項８】
前記端子の表面に半田接合に適した金属材料の層が形成されている請求項１に記載のインクジェット式記録ヘッド。
【請求項９】
前記端子が導電性を備えた長尺状の板材で形成され、表面に電気絶縁層を設けて前記個別電極に対応する位置に導電性接合部が形成されている請求項１に記載のインクジェット式記録ヘッド。
【発明の詳細な説明】
【技術分野】
【０００１】
本発明は、ノズルプレート、流路形成部材、及び弾性変形可能な蓋部材を積層するとともに、蓋部材に圧力発生手段を取付けたインクジェット記録ヘッドに関する。
【背景技術】
【０００２】
ノズルプレート、流路形成部材、及び弾性変形可能な蓋部材を積層し、振動板の表面に圧力発生手段、例えばたわみ振動モードの圧電振動子を取付けたインクジェット記録ヘッドは、これら大部分の部材をセラミックにより構成されているため、各部材をグリーンシートの状態で積層して、これを焼成することにより接着剤を使用することなく固定できるため、接着剤による接合工程が不要となり、製造工程の簡素化を図ることができるという利点を備えている。
このような記録ヘッドは、図３２（ａ）に示したように外部からの駆動信号を受けるため、圧電振動子Ａ，Ａ，Ａ‥‥の個別電極Ｂ，Ｂ，ＢがフレキシブルケーブルＣを介して外部装置に接続されている。
【０００３】
しかしながら、印字品質の向上や印刷速度の向上を図るために多数のノズルが形成された記録ヘッドにあっては、個別電極の幅が極めて細く、またその数が多くなるため、フレキシブルケーブルＣとの接続作業が困難になるばかりでなく、各圧電振動子に信号を供給するためのフレキシブルケーブルＣの各導電パターンが細くなって電気抵抗が高くなり、駆動回路の高電圧化や高電力化を必要とする等の問題がある。
【０００４】
このような問題を解消するため、図３２（ｂ）に示したように駆動信号発生機能を備えた半導体チップＤを、記録ヘッドのアクチュエータユニットＥの表面に樹脂Ｆで封入固定して搭載することも行われているが、アクチュエータユニット上の、しかも圧電振動子が存在しない領域に半導体チップＤの固定領域を確保する必要上、記録ヘッドが大型化したり、また半導体チップＤの信号出力端子と個別電極Ｂ，Ｂ，ＢとをワイヤＧ，Ｇ’で接続する配線作業が必要になる等の問題がある。
【０００５】
また、外部からの信号を供給するフレキシブルケーブルは、アクチュエータユニットの表面に複数列形成されている圧電振動子を跨ぐようにして、両端で個別電極に接続する端子に固定されているため、フレキシブルケーブルの張設の具合がゆるかったり、またフレキシブルケーブルに外力が作用した場合などには、フレキシブルケーブルが圧電振動子に接触して圧電振動子の振動を阻害し、印字品質に悪影響を与えたり、また圧電振動子を破損する等の問題がある。
【発明の開示】
【発明が解決しようとする課題】
【０００６】
本発明はこのような問題に鑑みてなされたものであってその目的とするところは、フレキシブルケーブルと圧電振動子との接触を確実に防止するとともに、容易に接合することができる新規なインクジェット式記録ヘッドを提供することである。
【課題を解決するための手段】
【０００７】
このような問題を解消するために請求項１の発明は、第１の蓋部材と、該蓋部材により一方の面が封止されてノズル開口に連通する圧力発生室を形成するスペーサと、前記ノズル開口を備えて前記スペーサの他方の面を封止する部材と、前記圧力発生室を加圧する圧力発生手段を備えたインクジェット式記録ヘッドにおいて、前記圧力発生手段に信号を選択的に印加する個別電極と接続すべく前記蓋部材の両側端に位置して形成され、その表面が前記圧力発生手段の表面よりも上方に位置するように形成された端子と、一端が外部装置に接続可能で、また他端側が、前記蓋部材の両側端の前記端子に導電的に接合固定されて前記圧力発生手段との間に間隔をあけて覆うように張設されたフレキシブルケーブルと、から構成されている。
【発明の効果】
【００１１】
圧力発生手段とフレキシブルケーブルとの間に間隙を確保できて、フレキシブルケーブルの接触による蓋部材の振動不良や圧力発生手段の破損を防止することができる。
【発明を実施するための最良の形態】
【００１２】
そこで以下に本発明の詳細を図示した実施例に基づいて説明する。
図１は、本発明の記録ヘッドの一実施例を、１つのアクチュエータユニットの圧力発生室近傍の構造でもって示す図で、図中符号２は第１の蓋部材で、厚さ１０μｍ程度のジルコニアの薄板から構成され、その表面に、後述する圧力発生室３、３に対向するように一方の極となる共通電極４を形成し、その上にＰＺＴ等の圧電材料の薄板からなる圧電振動子５、５’が固定されている。
【００１３】
圧電振動子５、５’の表面には個別電極６、６’が形成され、共通電極４の形成に合わせて導電材料を蒸着して形成された引出用の導電パターン７、７’により第１の蓋部材２の側方まで引き出されている。
【００１４】
８は、スペーサで、圧力発生室３、３’を形成するのに適した厚さ、例えば１５０μｍのジルコニア（ＺｒＯ2）などのセラミックス板に通孔を穿設して構成され、後述する第２の蓋部材９と第１の蓋部材２により両面を封止されて前述の圧力発生室３、３’を形成している。
【００１５】
９は、第２の蓋部材で、やはりジルコニア等のセラミック板に後述するインク供給口１３、１３’と圧力発生室３、３’とを接続する連通孔１０、１０’と、ノズル開口１８、１８’と圧力発生室３、３’の他端とを接続する連通孔１１、１１’を穿設して構成され、スペーサ８の他面を封止するように固定されている。
【００１６】
これら各部材２、８、９は、粘土状のセラミックス材料、いわゆるグリーンシートを所定の厚さに成形して要所に通孔を穿設後、積層して焼成することにより接着剤を必要とすることなくアクチュエータユニット１に纏めることができる。
【００１７】
１２は、インク供給口形成基板で、アクチュエータユニット１の固定基板を兼ねるとともに、圧力発生室３、３’側の一端側に後述する共通のインク室１５、１５と圧力発生室３、３’を接続するインク供給口１３、１３’が設けられ、また圧力発生室３、３’の他端側にはノズル開口１８、１８’に接続する連通孔１４、１４’が設けられている。
【００１８】
１９は、共通のインク室形成基板で、図示しないインクタンクからのインクの流入を受ける共通のインク室１５、１５’と、ノズル開口１８、１８’と接続する連通孔１６、１６’を設けて構成され、他方の面をノズルプレート１７により封止されて共通のインク室を形成している。
【００１９】
１７は、前述のノズルプレートで、連通孔１１、１４、１６、及び連通孔１１’、１４’、１６’を介して圧力発生室３、３’に連通するようにノズル開口１８、１８’が形成されている。
【００２０】
これらインク供給口形成基板１２、共通のインク室形成基板１９、及びノズルプレート１７は、それぞれの間に熱溶着フィルムや接着剤等からなる接着層により固定して流路ユニット２０に纏められ、その上でアクチュエータユニット１と熱溶着フィルムや接着剤等により固定して記録ヘッドが構成されている。
【００２１】
２２、２２’は、端子で、図２に示したようにそれぞれ各個別電極６、６’の延長として形成された導電パターン７、７’の端部に相互が独立するように形成されており、接合可能な導電性材料、例えばハンダチップや、導電性接着剤等を表面に付着させた銀電極や銅電極として構成されている。
【００２２】
３０は、外部からの信号を受けて各圧電振動子５、５’を駆動するための駆動信号を出力する半導体集積回路で、この実施例ではベアチップとして構成されており、図３に示したように駆動信号出力端子３１、３１’が、アクチュエータユニット１の端子２２、２２’と同一ピッチで接合面側に設けられている。
【００２３】
これら半導体集積回路３０とアクチュエータユニット１とは、端子２２、２２’、３１、３１’を構成している材料が導電性接着剤の場合には、接着剤を固化させることにより、またハンダである場合にはハンダを熱溶融させることにより、半導体集積回路３０の底面と圧電振動子５、５’の表面との間に一定の間隙Ｈを確保した状態で固定される（図４）。
【００２４】
半導体集積回路３０には、これにフレキシブルケーブルを直接接続したり、また図１（ｂ）に示したようにアクチュエータユニット１の表面に接続用の導電パターン３３を形成し、このパターン３３にフレキシブルケーブル４４を接続することにより外部装置からの印刷信号が供給される。
【００２５】
この実施例において、外部装置からの印刷信号が入力すると、半導体集積回路３０は、外部からシリアル信号として入力した印刷信号から各圧電振動子５、５’を同時に駆動するためのパラレル信号を生成し、端子３１、２２、及び３１’、２２’を介して対応する圧電振動子５、５’の個別電極６、６’に出力する。
【００２６】
圧電振動子５、５’は駆動信号を受けてたわみ振動を起こして圧力発生室３、３’を収縮させてノズル開口１８、１８’からインク滴を吐出させ、また信号の印加が無くなった時点で元の状態に復帰してインク供給口１３、１３’を介して共通のインク室１５、１５’のインクを圧力発生室３、３’に流入させる。
【００２７】
半導体集積回路３０の端子３１、３１’と個別電極６、６’との距離は図３２（ａ）に示すフレキシブルケーブルＣに比較して極めて短いから、半導体集積回路３０と個別電極６、６’との間の電気抵抗が極めて小さく、したがって半導体集積回路３０からの駆動信号は減衰することなく圧電振動子５、５’に供給される。
【００２８】
ところで、半導体集積回路３０が圧電振動子５、５’の上部に壁面として位置するため、数キロＨｚ程度の周波数での圧電振動子５、５’の駆動に伴って生じる騒音をある程度遮断、減衰させ、また半導体集積回路３０がアクチュエータユニット１の両側において接着剤やハンダにより接合されているから、補強板としても機能して他の部材が圧電振動子５、５’に接触を防止する。
【００２９】
図５は、本発明の他の実施例を示すもので、図中符号４０は、半導体集積回路固定基板で、アクチュエータユニット１の端子２２、２２’のピッチに一致する端子４１、４１’が設けられていて、表面にベアチップとして構成された半導体集積回路３０を搭載して、半導体集積回路３０の出力端子と端子４１、４１’とをワイヤ４２、４２’により接続した状態で、樹脂４３で半導体集積回路３０が表面に封止、固定されている。
【００３０】
この実施例によれば、半導体集積回路３０をアクチュエータユニット１のサイズに関わりなく、回路を構成することができ、またアクチュエータユニットのサイズに合った半導体集積回路固定基板４０を用意するだけで、大型のアクチュエータユニット等あらゆる形状のものに適用できるため、半導体集積回路３０のコストを下げることが可能となる。
【００３１】
また外部との接続を行うフレキシブルケーブル４４を半導体集積回路固定基板４０に接続できるから、ハンダ付け時の高温がアクチュエータユニット１に及ぶのを防止することができる。
【００３２】
図６は、本発明の他の実施例を示すものであって、アクチュエータユニット１の中央領域の圧電振動子５、５’が存在しない領域には、半導体集積回路固定基板４０が圧電振動子５、５’に接触しない程度の間隙を形成でき、かつ先端が固定基板４０の裏面に当接する高さを有する支持部材５９が少なくとも１個、電気絶縁材料により形成されている。
【００３３】
この実施例によれば、支持部材５９が固定基板４０を支えるから、これの重量が記録ヘッドの両側に集中的に作用することによる記録ヘッドの反りを防止できる。
【００３４】
図７は、本発明の他の実施例を示すもので、図中符号４５は、半導体集積回路３０を収容したパッケージで、底面にはアクチュエータユニット１の端子２２、２２’のピッチに一致する端子４６、４６’が設けられていて、半導体集積回路３０の出力端子と端子４６、４６’とがワイヤ４７、４７’で接続されている。
【００３５】
この実施例によれば、パッケージ４５の端子４６、４６’の配列ピッチをアクチュエータユニット１の端子２２、２２’に合わせて形成することにより、既存の半導体集積回路３０を種々なアクチュエータユニット１に使用することが可能となり、半導体集積回路３０の共用化によるコストの引き下げが可能となり、またフレキシブルケーブルのハンダ付け時にはアクチュエータユニット１が加熱されるのを防止することができる。
【００３６】
図８は、本発明の他の実施例を示すものであって、アクチュエータユニット１の中央領域の圧電振動子５、５’が存在しない領域には、パッケージ４５が圧電振動子５、５’に接触しない程度の間隙を形成でき、かつ先端がパッケージ４５の裏面に当接する高さを有する支持部材５９が少なくとも１個、電気絶縁材料により形成されている。
【００３７】
この実施例によれば、支持部材５９がパッケージ４５を中央部でも支えるから、これの重量が記録ヘッドの両側に集中的に作用することによる記録ヘッドの反りを防止できる。
【００３８】
図９は、本発明の他の実施例を示すもので、図中符号５０は、外部装置と接続するフレキシブルケーブルで、図１０に示したようにポリイミド等の耐熱性絶縁フィルム５１に半田付けが可能な金属、例えば銅等の金属箔を積層して構成されており、少なくともアクチュエータユニット１に対向する領域では、アクチュエータユニット１の端子２２、２２’を跨ぐことができるサイズに成形されている。
【００３９】
そしてアクチュエータユニット１に固定されたとき、ほぼ中央となる領域には半導体集積回路３０の信号出力端子５５を圧電振動子に対向させて露出させることができる程度の窓５３が形成されている。
【００４０】
この窓５３の内側には、半導体集積回路３０の信号出力端子５５の配列に合わせて金属箔５２を窓側に露出させて形成したタブ５４、５４’が設けられていて、タブ５４、５４’と半導体集積回路３０の信号出力端子５５とを半田付けした後、少なくとも半導体集積回路３０の周縁を樹脂５６で封止して半導体集積回路３０がフレキシブルケーブル５０に固定されている。
【００４１】
そしてフレキシブルケーブル５０の裏面にはアクチュエータユニット１の端子２２、２２’に一致するように半球状の端子５７、５７’が設けられ、タブ５４、５４’から延びる導電パターン５８、５８’を介して半導体集積回路３０に接続されている。
【００４２】
この実施例において、フレキシブルケーブル５０の端子５７、５７’とアクチュエータユニット１の端子２２、２２’の少なくとも一方の厚さをフレキシブルケーブル５０の裏面が圧電振動子５、５’よりも上方に位置するようにその厚みを調整しておくことにより、フレキシブルケーブル５０と圧電振動子５、５’との接触を防止することができるばかりでなく、薄い耐熱性フィルム５１を介して熱を与えることによりフレキシブルケーブル５０の端子５２、５２’とアクチュエータユニットの端子２２、２２’を比較的簡単に半田付けすることができる。
【００４３】
図１１は、本発明の他の実施例を示すものであって、アクチュエータユニット１の中央領域の圧電振動子５、５’が存在しない領域には、フレキシブルーブル５０が圧電振動子５、５’に接触しない程度の間隙を形成でき、かつ先端が半導体集積回路３０の裏面に当接する高さを有する支持部材５９が少なくとも１個、電気絶縁材料により形成されている。
【００４４】
この実施例によれば、支持部材５９が半導体集積回路３０を支えてフレキシブルケーブル５０の裏面と圧電振動子との間に一定の間隙を確保するから、フレキシブルケーブル５０には、これを上方に位置させるための嵩上げ用の半球状の端子５７、５７’が不要となるばかりでなく、導電パターン５８、５８’を直接端子２２、２２’に半田付けすることができる。
【００４５】
また、半導体集積回路３０の重量を支持部材５９により受け止めて、フレキシブルケーブル３０のたわみを防止して、圧電振動子５、５’との接触や、また半導体集積回路３０やフレキシブルケーブル５０の重量が記録ヘッドの両側に集中的に作用することによる記録ヘッドの反りを防止でき、さらには不用意に上方から作用する力を突起で受け止めて接触や反りを防止することができる。
【００４６】
なお、上述の実施例においては半導体集積回路３０とフレキシブルケーブル５０とをタブ５４、５４’を介して接続しているが、図１２に示したように半導体集積回路３０の端子６０を半導体集積回路３０の裏面から突出する形状とし、またフレキシブルケーブル５０を金属箔５２を上面となるように配置して、半導体集積回路３０の端子６０、６０’を金属箔５２に半田付けする。
【００４７】
さらにアクチュエータユニット１の端子２２、２２’と対向する箇所には絶縁フィルム５１を剥離して金属箔５２を露出させて、ここに耐熱性絶縁フィルム５１の表面まで突出し、かつフレキシブルケーブル５０の裏面を圧電振動子５、５’との間に空間を確保できる程度の厚みを備えた端子６１、６１’をハンダチップや導電性接着剤により作り付け、この端子６１、６１’を介してアクチュエータユニット１の端子２２、２２’に接続してもよい。
【００４８】
また図１３に示したように、アクチュエータユニット１の中央領域の圧電振動子５、５’が存在しない領域に、フレキシブルーブル５０が圧電振動子５、５’に接触しない程度の間隙を形成でき、かつフレキシブルケーブル５０の裏面に当接できる高さを有する支持部材５９を形成すれば、端子６１、６１’を薄くしてもフレキシブルケーブル５０と圧電振動子５、５７との接触を防止することができる。
【００４９】
さらに上述の実施例においては、圧電振動子５、５’の表面に個別電極６、６’を形成する場合について説明したが、第１の蓋部材２の表面に個別電極を、また圧電振動子５、５’の表面に共通の電極を形成する形式のインクジェット式記録ヘッドにあっても、個別電極をリード部により第１の蓋部材の側端まで引き出すことができれば上述の手法が適用できることは明らかである。
【００５０】
図１４は、本発明の第二の発明の一実施例を示すものであって、この実施例においては、アクチュエータユニット１の個別電極７０、７０’は、下電極として第１の蓋部材２の表面に形成され、また図示しない共通電極は圧電振動子５、５’の表面に形成されている。
【００５１】
図中符号７１は、個別電極７０、７０’と外部駆動回路とを接続するフレキシブルケーブルで、外部駆動回路からの信号を各個別電極７０、７０’に供給するパターンの先端には、個別電極７０、７０’と接続する端子部７３、７３’の配列ピッチに合わせて接続用の導電パターン７２、７２’が形成されている。
【００５２】
図１５は、上述した個別電極７０、７０’とフレキシブルケーブル７１の接続部の構造を一端側について拡大して示すものであって、図中符号７３は、第１の蓋部材２の表面に形成された端子部で、この実施例においては電気絶縁材料からなり、その表面が圧電振動子５の表面より上方に位置する厚さに選択されている。
【００５３】
この端子部７３は、図１６に示したように第１の蓋部材２の側端に、上述した厚さを備えた電気絶縁材料の板、例えばセラミックス等の薄板７４を接着剤で固定したり、またセラミックスのグリーンシートを張り付けて圧電振動子５の焼成と同時に焼成して接合するなどの手法で作り付けられている。
【００５４】
再び図１４に戻って、７５は、個別電極７０、７０’から端子部７３の表面まで引き出されたリード部で、蒸着などにより形成され、端子部７３、７３’の表面に接合部７６、７６’を形成している。
【００５５】
この実施例において、接合部７６、７６’の表面に個別電極７０、７０’の幅、及び配列ピッチに合わせて半田ペーストを塗布し、フレキシブルケーブル７１を２列に配置されている圧電振動子５、５’を跨がして、各導電パターン７２、７２’を端子部７３、７３’の接合部７６、７６’に位置合わせし、そのフレキシブルケーブル７１の表面から加熱する。これによりフレキシブルケーブル７１を構成している耐熱性絶縁フィルムを介して半田ペーストが溶融して、半田付けが行なわれる。
【００５６】
半田付けが終了した段階では、フレキシブルケーブル７１は、両端を端子部７３、７３’により固定されて端子部７３、７３の高さにより圧電振動子５、５’の表面との間に間隙ｇを形成した状態で保持され、フレキシブルケーブル７１は、圧電振動子５、５’に接触することがなく、また端子部７３、７３’を構成する板が補強部材としても機能する。
【００５７】
なお、上述の実施例においては、リード部７５、７５’の延長として形成された接合部７６、７６’に直接半田付けを行うようにしているが、図１７に示したようにリード部７５、７５’の先端７５ａ、７５ａ’を端子部７３、７３’まで延長し、これと導電関係を維持させて端子部７３、７３’の表面に半田付けに適した金属により接合層７７を各個別電極の幅に一致するように形成し、ここにフレキシブルケーブル７１の導電パターン７２を接合するようにしてもよい。
【００５８】
この実施例によれば金属の接合層７７の厚みにより接合部全体が厚くなるので、薄板７４（図１６）として圧電振動子５を構成する圧電材料のグリーンシートをそのまま用いても、接合層７７の厚さにより間隙ｇを確保することができる。
【００５９】
また、上述の実施例においては端子部７３、７３’を長尺状の薄板７４により形成しているが、図１８に示したように個々の個別電極７０、７０’の幅に合わせて切断した短冊状の板７８を用いてもよい。
【００６０】
図１９は、端子部７３、７３’を短冊状に形成するのに適した実施例を示すものであって、セラミック等により各個別電極７０、７０’の配列ピッチに端子部７３、７３’となる櫛歯８０、８０‥‥と、これの他端で連続する連続部８１を備えた櫛歯状の形に構成しておき、第１の蓋部材２に固定後、連続部８１との境界Ｍ−Ｍから切断して切り離すようにしてもよい。
【００６１】
図２０は、本発明の他の実施例を示すものであって、図中符号８１は、金属などの導電性材料で形成された端子で、図２１に示したように各個別電極７０、７０’‥‥に接続するリード部７５、７５’‥‥を第１の蓋部材２の側端まで延長し、これの表面に短冊状の導電性基板８２、８２を導電性接着剤で固定した後、さらに導電性基板８２、８２‥‥の表面に、フレキシブルケーブル７１の導電パターン７２を半田付けするのに適した銀などの金属層の接合部８３を形成したものである。
【００６２】
なお、この実施例においても上述した櫛歯状に形成して製造工程の簡素化を図ることができる。すなわち図２２に示したように、金属板等の導電性の薄板を各個別電極７０、７０’‥‥の配列ピッチに合わせて導電性基板８２として第１の蓋部材２に固定する部分８４と、これらを接合する連続部８５とからなる櫛歯状の部材をプレス加工しておき、導電性基板８２となる部分８４を第１の蓋部材２に固定後、若干第１の蓋部材２より外側を切断線ＮーＮとして連続部８５を切り離すようにしてもよい。そして第１の蓋部材２から突出した領域をフレキシブルケーブル７１との接続領域に使用することにより、アクチュエータユニット１を無用に過熱させることなく、フレキシブルケーブル７１を半田付けすることができる。
【００６３】
図２３は、本発明の他の実施例を示すものであって、図中符号８６は補強基板を兼ねる金属等の基板で、接着剤により第１の蓋部材２に固定し、その表面に絶縁層８７を形成してから、個別電極７０、７０’‥‥の形成時に、少なくとも一部が絶縁層８７の表面に到達するようにリード部７７を形成し、さらにリード部７７を覆うように半田付けに適した接合部８８を形成するようにしてもよい。
【００６４】
図２４は、本発明の他の実施例を示すもので、この実施例においては各個別電極７０、７０’‥‥と接続するリード部７７の端部７７ｂを、端子部８９の位置まで延長し、端部７７ｂを覆うように各個別電極の配列ピッチに合わせて導電性接着剤等を、その表面が圧電振動子５よりも上方に位置するように厚膜印刷して端子部８９を形成し、乾燥後にフレキシブルケーブル７１を接合したものである。
【００６５】
ところで、上述の実施例において端子部の表面が圧電振動子５のよりも上方に位置するようにその厚さを設定しているが、図２５に示したようにフレキシブルケーブル７１の接合領域を第１の蓋部材２側が凸となり、かつその深さｄが圧電振動子５の厚さよりも大きい半球面９０に形成すると、端子部９１を薄く構成できるため、特に導電性接着剤等で端子を形成する場合には乾燥時間を短縮できて、作業能率が向上する。
【００６６】
図２６、２７は、それぞれ他の実施例を示すもので、この実施例においては、圧電振動子５、５’が形成されていない領域、すなわち図２３に示したように側端部側、または圧電振動子５、５’の配列方向の両端に、圧電振動子５、５’よりも厚い支持体９２、９３をそれぞれ圧電振動子５、５’を挟むように配置し、支持体９２、９３の表面でフレキシブルケーブル７１を支持させたものである。
【００６７】
この実施例によれば、単に支持体９２、９３を設けるだけであるから、従来の製造方法をほとんどそのまま踏襲することが可能となる。
【００６８】
図２８は、本発明の他の実施例を示すもので、フレキシブルケーブル７１の両端部を座屈させることなく、フレキシブルケーブル７１を適当な曲率半径Ｒで折り返して、フレキシブルケーブル７１を構成している耐熱性高分子フィルムの弾性を積極的に利用するようにしたものである。
【００６９】
この実施例によれば、フレキシブルケーブル７１自体の弾性により接合部より内側が上部に持ち上げられるから、大きな外力が作用しない限り圧電振動子５に接触することはない。
【００７０】
なお、上述の実施例においては個別電極７０、７０’を第１の蓋部材２の表面に形成する場合についてに説明したが、圧電振動子５、５’の表面に個別電極を、また第１の蓋部材の表面に共通の電極を形成する形式のインクジェット式記録ヘッドにあっても、個別電極をリード部により第１の蓋部材の側端まで引き出すことができれば上述の手法が適用できることは明らかである。
【００７１】
また、上述の実施例においては厚みや高さが小さい圧力発生手段としてＰＺＴ等の圧電材料の薄板を張り付けて構成したものに例を採って説明したが、第１の蓋部材に薄く形成したり、また圧力発生室内に形成することのできる他の形式の圧力発生手段を用いることができる。
【００７２】
すなわち、図２９に示したように圧力発生室３を封止する第１の蓋材２を、下面に共通の電極９５が形成された一枚構造の圧電振動層９６により構成し、その上面の圧力発生室４に対向する領域に個別電極９７を形成して、圧力発生室３に対向する圧電振動層９６の領域だけを選択的にたわみ変位させる構造を採ることができる。
【００７３】
このような圧電振動層９６は、圧電振動板の薄板を用いたり、また共通の電極９５に圧電材料をスパッタリングしたり、水熱法により作り付ける等の種々の方法で形成することができる。
【００７４】
また図３０に示したように、第１の蓋部材２を、共通の電極９５により形成するとともに、共通の電極９５の圧力発生室３側に圧電振動子９８と個別電極９９を設けたり、必要に応じて共通の電極９５の表面に弾性変形に適した層、例えばジルコニアの薄板を積層して構成することもできる。
【００７５】
さらには、図３１に示したようにスペーサ８を封止する蓋部材２の圧力発生室３側の面、もしくは圧力発生室３を区画する他の部材の圧力発生室側にジュール熱発生素子１００を設けて、駆動信号によりジュール熱発生素子１００を発熱させて圧力発生室内のインクを気化させて加圧するものとして構成することもできる。
【図面の簡単な説明】
【００７６】
【図１】図（ａ）（ｂ）は、それぞれ本発明の第１の発明の一実施例を示す断面図、及び外部装置との接続構造の一実施例を示す図である。
【図２】同上インクジェット式記録ヘッドを構成しているアクチュエータユニットの上面の構造を示す図である。
【図３】同上インクジェット式記録ヘッドに固定される半導体集積回路の端子の構造を示す上面図である。
【図４】半導体集積回路とアクチュエータユニットとの位置関係を示す図である。
【図５】本発明の他の実施例を示す断面図である。
【図６】本発明の他の実施例を示す断面図である。
【図７】本発明の他の実施例を示す断面図である。
【図８】本発明の他の実施例を示す断面図である。
【図９】本発明の他の実施例を示す断面図である。
【図１０】フレキシブルケーブルの一実施例を示す断面図である。
【図１１】本発明の他の実施例を示す断面図である。
【図１２】本発明の他の実施例を示す断面図である。
【図１３】本発明の他の実施例を示す断面図である。
【図１４】本発明の第二の発明の一実施例を、対向する圧力発生室近傍の断面構造として示す図である。
【図１５】同上インクジェット式記録ヘッドの個別電極とフレキシブルケーブルとの接続部を拡大して示す断面図である。
【図１６】端子部の一実施例を示す斜視図である。
【図１７】本発明の他の実施例を個別電極とフレキシブルケーブルとの接続領域の構造でもって示す図である。
【図１８】端子部の一実施例を示す斜視図である。
【図１９】端子部の他の実施例を示す斜視図である。
【図２０】本発明の他の実施例を個別電極とフレキシブルケーブルとの接続領域の構造でもって示す断面図である。
【図２１】端子部の一実施例を示す斜視図である。
【図２２】端子部の他の実施例を示す斜視図である。
【図２３】本発明の他の実施例を個別電極とフレキシブルケーブルとの接続部の構造でもって示す断面図である。
【図２４】本発明の他の実施例を個別電極とフレキシブルケーブルとの接続部の構造でもって示す断面図である。
【図２５】本発明の他の実施例を個別電極とフレキシブルケーブルとの接続部の構造でもって示す断面図である。
【図２６】本発明の他の実施例を個別電極とフレキシブルケーブルとの接続部の構造でもって示す断面図である。
【図２７】本発明の他の実施例を個別電極とフレキシブルケーブルとの接続部の構造でもって示す断面図である。
【図２８】本発明の他の実施例を個別電極とフレキシブルケーブルとの接続部の構造でもって示す断面図である。
【図２９】本発明の圧力発生手段の他の実施例を示す図である。
【図３０】本発明の圧力発生手段の他の実施例を示す図である。
【図３１】本発明の圧力発生手段の他の実施例を示す図である。
【図３２】図（ａ）（ｂ）は、それぞれ従来のインクジェット式記録ヘッドの一例を示す斜視図、及び断面図である。
【符号の説明】
【００７７】
１  アクチュエータユニット  ２  第１の蓋部材  ３、３’  圧力発生室  ４  共通電極  ５、５’  圧電振動子  ６、６’  個別電極  ７、７’  導電パターン  １８、１８’  ノズル開口  ２０  流路ユニット  ２２、２２’  端子  ３０  半導体集積回路  ３１、３１’  端子  ４４  フレキシブルケーブル  ５９  支持部材  ７０、７０’  個別電極  ７１  フレキシブルケーブル  ７２、７２’  接続用の導電パターン  ７３、７３’  端子部
【図１】
0003672037.tif 000002
【図２】
0003672037.tif 000003
【図３】
0003672037.tif 000004
【図４】
0003672037.tif 000005
【図５】
0003672037.tif 000006
【図６】
0003672037.tif 000007
【図７】
0003672037.tif 000008
【図８】
0003672037.tif 000009
【図９】
0003672037.tif 000010
【図１０】
0003672037.tif 000011
【図１１】
0003672037.tif 000012
【図１２】
0003672037.tif 000013
【図１３】
0003672037.tif 000014
【図１４】
0003672037.tif 000015
【図１５】
0003672037.tif 000016
【図１６】
0003672037.tif 000017
【図１７】
0003672037.tif 000018
【図１８】
0003672037.tif 000019
【図１９】
0003672037.tif 000020
【図２０】
0003672037.tif 000021
【図２１】
0003672037.tif 000022
【図２２】
0003672037.tif 000023
【図２３】
0003672037.tif 000024
【図２４】
0003672037.tif 000025
【図２５】
0003672037.tif 000026
【図２６】
0003672037.tif 000027
【図２７】
0003672037.tif 000028
【図２８】
0003672037.tif 000029
【図２９】
0003672037.tif 000030
【図３０】
0003672037.tif 000031
【図３１】
0003672037.tif 000032
【図３２】
0003672037.tif 000033